(57)【要約】【課題】興趣性に富んだ展示を可能とする壁掛け型展示棚を提供する。【解決手段】壁面取付構造を有する本体２内の棚板３…を本体２の開口２１より前方に突出させ、透明樹脂からなるカバー４によって、この開口２１を棚板３…ごと覆う。【選択図】　　図１
2004136017.tif 000002
【特許請求の範囲】
【請求項１】
前面側の全面に開口が設けられ、背面側に壁面に取り付けるための壁面取付構造を有する本体と、
前記本体内に設けられ、前記本体の前面側の開口より前方に突出する１または複数枚の棚板と、
前記本体の開口を前記棚板ごと覆うように前記開口から前方に膨らむ透明樹脂からなるカバーと、
を備えたことを特徴とする壁掛け型展示棚。
【請求項２】
前記本体は不透明材料から構成されていることを特徴とする請求項１に記載の壁掛け型展示棚。
【請求項３】
前記カバーは、壁面にほぼ平行な前面を有し、その前面は前方に突出する凸面形状をなすように構成されていることを特徴とする請求項１または２に記載の壁掛け型展示棚。
【請求項４】
前記本体内に、前記棚板の高さ位置を変更可能な高さ調整手段を有することを特徴とする請求項１〜３のいずれかに記載の壁掛け型展示棚。
【請求項５】
前記高さ調整手段は、前記本体の両側壁内側に設けられた複数段の前後方向に延びる棚挿込溝から構成され、
前記棚板は、前記本体の前面側の開口から任意の高さの前記棚挿込溝に挿し込むことによって前記本体内に取り付けられることを特徴とする請求項４に記載の壁掛け型展示棚。
【請求項６】
前記カバーは、壁面に取り付けられた前記本体に対して、着脱可能に取り付けられることを特徴とする請求項１〜５のいずれかに記載の壁掛け型展示棚。
【請求項７】
前記本体の前記開口の上縁部には被係合部が設けられ、前記カバーの上縁部には前記被係合部に上側から係合する係合部が設けられ、
前記本体の前記開口の下縁部には、前記カバーの下縁部に係合して、前記カバーの下縁部が前方に離間することを防止するロック構造が設けられたことを特徴とする請求項６に記載の壁掛け型展示棚。
【発明の詳細な説明】
【０００１】
【発明の属する技術分野】
本発明は、壁面に取り付けられ、内部に人形等の展示物を収容して展示する壁掛け型展示棚に関する。
【０００２】
【従来の技術】
従来、立体的な展示物を収容して展示する壁掛け型展示棚がいくつか提案されている（下記特許文献１〜４参照）。
【０００３】
【特許文献１】
特開２００２−２１９０３６号公報
【０００４】
【特許文献２】
実開平６−３００７２号公報
【０００５】
【特許文献３】
特開２００１−３３４７９７号公報
【０００６】
【特許文献４】
特開平８−７２４９９号公報
【０００７】
【発明が解決しようとする課題】
しかしながら、従来の壁掛け型展示棚は、その形態がいずれも平面的な絵画を収容して展示する額縁の延長にあり、展示物が立体的であることを引き立てるという観点において、改善の余地があった。
【０００８】
本発明は、興趣性に富んだ展示を可能とする壁掛け型展示棚を提供することを目的とする。
【０００９】
【課題を解決するための手段】
上記課題を解決するべく、本発明に係る壁掛け型展示棚は、前面側の全面に開口が設けられ、背面側に壁面に取り付けるための壁面取付構造を有する本体と、前記本体内に設けられ、前記本体の前面側の開口より前方に突出する１または複数枚の棚板と、前記本体の開口を前記棚板ごと覆うように前記開口から前方に膨らむ透明樹脂からなるカバーと、を備えたことを特徴とするものである。
【００１０】
このような壁掛け型展示棚によると、展示物が載置される棚板は本体の前面側の開口から前方に突出し、前方に膨らむ透明樹脂よりなるカバーによって覆われるため、この棚板に展示される展示物は透明なカバーを通してその正面姿だけでなく、左右側面の姿も容易に視認することができ、立体的な展示物の特性を生かした興趣性に富んだ展示ができる。
【００１１】
また、カバーは透明樹脂からなるため、不透明な桟や枠を用いることなく、前方に膨らんだ形状を容易かつ安価に製造することができる。
【００１２】
また、このような壁掛け型展示棚においては、前記本体は不透明材料から構成されていることが望ましい。
【００１３】
このようにすると、本体の不透明材料によって本体背面側の壁面取付構造を隠して、展示物の展示による興趣性が殺がれることを防止することができる。また、壁掛け型展示棚が取り付けられる壁面を覆い隠して展示物を引き立てる背景を構成することもできる。
【００１４】
また、このような壁掛け型展示棚においては、前記カバーは、壁面にほぼ平行な前面を有し、その前面は前方に突出する凸面形状をなすように構成されていることが望ましい。
【００１５】
このようにすると、設計上の形状から逸脱が許容される範囲が広くなるため、カバーの製造が容易なものとなり、ひいては製造コストの低減化を図ることができる。すなわち、カバーの前面を平面にすると完全な平面でなければあらが目立ってしまうが、予め曲面形状とすれば若干の曲率の変化は判明しにくいからである。また、カバーを凸面形状とするため、平面形状であるよりも高い強度的が得られる。
【００１６】
また、このような壁掛け型展示棚においては、前記本体内に、前記棚板の高さ位置を変更可能な高さ調整手段を有することが望ましい。
【００１７】
このようにすると、展示物の高さに応じて棚板上に適切な高さスペースを確保することができ、展示物を効率的に収容し、興趣性に富む展示を実現することができる。
【００１８】
また、このような壁掛け型展示棚においては、前記高さ調整手段は、前記本体の両側壁内側に設けられた複数段の前後方向に延びる棚挿込溝から構成され、前記棚板は、前記本体の前面側の開口から任意の高さの前記棚挿込溝に挿し込むことによって前記本体内に取り付けられることが望ましい。
【００１９】
このようにすると、簡素な構造でありながら、種々の高さ位置に棚板をセットして、展示物を効率的に収容し、興趣性に富む展示を実現することができる。
【００２０】
また、このような壁掛け型展示棚においては、前記カバーは、壁面に取り付けられた前記本体に対して、着脱可能に取り付けられることが望ましい。
【００２１】
このようにすると、本体を壁面に取り付けた状態で、カバーを取り外して、じっくりと展示物の配置や向き等を試行錯誤することができる。
【００２２】
また、このような壁掛け型展示棚においては、前記本体の前記開口の上縁部には被係合部が設けられ、前記カバーの上縁部には前記被係合部に上側から係合する係合部が設けられ、前記本体の前記開口の下縁部には、前記カバーの下縁部に係合して、前記カバーの下縁部が前方に離間することを防止するロック構造が設けられることが望ましい。
【００２３】
このようにすると、カバーを本体から容易に着脱できる構造を実現しながら、カバー下縁部のロック構造を解いて、カバー上縁部を本体に係合させた状態でカバーの下縁部を前方に（手前に）持ち上げるようにして容易にカバーを開くことができ、これにより、展示物の配置や向きの多少の手直しを簡単に行うことができる。また、ロック構造によってカバーを本体から離間しないようにしておくことで、地震等によりカバーが開いて展示物が落下してしまうことも未然に防止することができる。
【００２４】
【発明の実施の形態】
以下、本発明にかかる壁掛け型展示棚の一実施形態について図面を参照しながら説明する。
【００２５】
図１は、この壁掛け型展示棚を正面側から見た斜視図である。図２は、同壁掛け型展示棚を背面側から見た斜視図である。図３は、同壁掛け型展示棚の側面図である。図４は、同壁掛け型展示棚を上から見た平面図である。図５は、同壁掛け型展示棚のカバーを開けた状態の斜視図である。図６は、壁面固定部材の斜視図である。図７は、壁面固定部材を壁面に取り付けた状態の斜視図である。図８は、壁面固定部材が本体に取り付けられた状態を背面側から見た斜視図である。図９は、挿通ピンの動作説明図である。図１０は、壁掛け型展示棚が壁面に設置された状態の側方断面図である。
【００２６】
この実施形態にかかる壁掛け型展示棚は、例えば図１０に示すように、展示物を収容する本体２と、展示物が載置される複数枚の棚板３…と、本体２の前面側を覆うカバー４と、壁面Ｗに直接取り付けられる壁面固定部材５と、本体２を壁面固定部材５に結合させる挿通ピン６とを備えている。
【００２７】
（本体）
本体２は、展示物とともに展示物が載置される棚板３…を収容するものである。この本体２は、前面側の全面に開口２１が設けられたほぼ直方体形状の箱体からなる。この本体２は、たとえば耐衝撃用ポリスチレン（ＨＩＰＳ）等の合成樹脂の成型品として構成されている。また、この本体２は、不透明材料から構成され、取り付けられる壁面Ｗが隠れるようになっている。これにより、本体２内に収容される展示物の展示による興趣性が殺がれることを防止したり、展示物を引き立てる背景を構成することもできる。
【００２８】
この本体２の後面側には、図２に示すように、上下方向に延びる左右で一対の案内レール２６，２６が後方に突出するように設けられている。この一対の案内レール２６，２６は、図８に示すように、後述する壁面固定部材５を回転不能かつ上下方向スライド可能に左右から挟み込むものである。
【００２９】
この一対の案内レール２６，２６は、本体２の上端近傍から下端近傍にまで至っており、この一対の案内レール２６，２６間に挟み込まれる壁面固定部材５のスライド動作範囲ができるだけ大きく確保されるようになっている。
【００３０】
また、この一対の案内レール２６，２６の上下端部には、一対の案内レール２６，２６がつながるように延びる終端２６１，２６１が本体２の後面側から後方に突出するように設けられている。これにより、この一対の案内レール２６，２６間に挟み込まれる壁面固定部材５のスライド動作範囲を規制し、壁面固定部材５が本体２の上下に突出しないようになっている。
【００３１】
本体２の一対の案内レール２６…の間には、図２に示すように、本体２を前後方向に貫通する１つの挿通ピン孔２７が設けられている。この挿通ピン孔２７は、後述する挿通ピン６を貫通させて壁面固定部材５に挿通させることにより、本体２を壁面固定部材５に結合させるためのものである。
【００３２】
この挿通ピン孔２７の近傍の後面側には、図２に示すように、後方に若干突出した嵌合凸部２８が挿通ピン孔２７の周囲を囲むように設けられている。この嵌合凸部２８は、後述する壁面固定部材５に設けられる嵌合凹部５５…と互いに嵌合して、本体２を壁面固定部材５に取り付ける際の作業性を高めるものである。
【００３３】
この一対の案内レール２６，２６および挿通ピン孔２７等は、後述する壁面固定部材５および挿通ピン６とともに、この本体２を壁面Ｗに取り付けるための壁面取付構造をなしている。また、本体２は、この壁面取付構造によって壁面に取り付けられる被取付物となっている。
【００３４】
本体２の両側壁２２，２２の内側には、図１等に示すように、それぞれ複数段の前後方向に延びる棚挿込溝２３…が形成されている。この棚挿込溝２３…には、本体２の前面側の開口２１から後述する棚板３…が任意の高さ位置…に挿し込まれて本体２内に取り付けられる。この棚挿込溝２３…は、棚板３…を本体２内の任意の高さ位置に取り付けることを可能とする高さ調整手段を構成している。このように棚挿込溝２３…が高さ調整手段として機能するため、簡素な構造でありながら、展示物の高さに応じて棚板３…の上に適切な高さスペースを確保することができ、展示物を効率的に収容し、興趣性に富む展示を実現することができる。
【００３５】
本体２の開口２１の上縁部には、図３等に示すように、前方に突出する２つの被係合部２４，２４が左右対称に設けられている。この被係合部２４，２４の上面には上方に突出する突起部２４１，２４１が設けられている。この被係合部２４，２４は、この突起部２４１，２４１において後述するカバー４の上縁部に設けられる係合部４４，４４と係合してカバー４の前後方向および左右方向のずれを規制しながら、カバー４を支持するためのものである。
【００３６】
本体２の開口２１の下縁部には、図３等に示すように、ロック部材２５，２５が左右対称な位置に、ともに左右方向にスライド動作可能に取り付けられている。このロック部材２５，２５は、後述するカバー４の下縁部に設けられた被ロック突起４５，４５に係合して、このカバー４の下縁部が前方に離間することを防止するロック構造として機能する。
【００３７】
（棚板）
棚板３…は、本体２内に取り付けられて、展示物が載置されるものである。ここでは、１つの壁掛け型展示棚１に対して複数枚（図示例では３枚）が用いられている。
【００３８】
この棚板３…は、たとえば耐衝撃用ポリスチレン（ＨＩＰＳ）等の不透明な合成樹脂の成型品として構成され、図１０等に示すように、平坦な上面をなす上部板部３１と下方に突出する強度確保用のリブ３２とから構成されている。
【００３９】
この棚板３…は、本体２の内側空間の奥行き（前後幅）よりも前後長さが長く構成されており、図３等に示すように、その先端部分が本体２の前面側の開口２１より前方に突出する状態で、本体２の両側壁内側に設けられた棚挿込溝２３…の任意の高さ位置に挿し込まれて本体２内に取り付けられる。
【００４０】
（カバー）
カバー４は、本体２の開口２１を覆って、本体２内にほこり等が進入することを防止し、展示物を保護するものである。このカバー４は、図３に示すように、本体２内に取り付けられた棚板３…の本体２の開口２１より前方に突出した先端部分ごと本体２の開口２１を覆うように、本体２の開口２１から前方に膨らんだ形状に形成されている。具体的には、このカバー４は、後面側が開口したほぼ直方体形状の箱体からなる。このカバー４は、たとえばポリスチレン等の合成樹脂の成型品として構成されている。また、この本体２は、透明な材料から構成され、本体２内に収容される展示物を外部から視認できるようになっている。
【００４１】
このように、カバー４は透明樹脂からなるため、不透明な桟や枠を用いることなく、前方に膨らんだ形状を容易かつ安価に製造することができる。
【００４２】
このカバー４の前面４２は、カバー４が本体２に取り付けられたとき、壁面Ｗにほぼ平行になるが、この前面４２は、図４に示すように、その左右に対して中央が若干前方に突出する凸面形状をなすように構成されている。このような形状にすることにより、カバー４の前面を平面として形成する場合と比べて、若干の曲率の変化があっても判明しにくくなるため、設計上の形状から逸脱が許容される範囲が広くなり、カバー４を容易かつ低コストで製造することが可能となる。また、平面形状とするより高い強度的が得られる。
【００４３】
このカバー４は、壁面Ｗに取り付けられた本体２に対して、着脱可能に取り付けられるようになっている。具体的には、図３に示すように、カバー４の上縁部内側には、本体２側の被係合部２４，２４に上側から係合する係合部４４，４４が左右対称に設けられている。この係合部４４，４４は、本体２側の被係合部２４，２４に設けられた突起部２４１，２４１と係合する孔部として形成されている。カバー４は、この係合部４４，４４における本体２側の突起部２４１，２４１との係合により本体２に対する前後方向および左右方向のずれが規制された状態で、本体２側の被係合部２４，２４の上面によってその重量が支持されるようになっている。
【００４４】
カバー４の下縁部外面には、被ロック突起４５，４５が下方に突出して設けられている。この被ロック突起４５，４５は、本体２側のロック部材２５，２５がそれぞれ外側にスライドしたときには、ロック部材２５，２５と係合する。これにより、カバー４は、その下縁部が本体２の下縁部から前方に離れて開くことが防止されるようになっている。一方、被ロック突起４５，４５は、本体２側のロック部材２５，２５がそれぞれ内側にスライドしたときには、ロック部材２５，２５のとの係合が解かれる。これにより、図５に示すように、カバー４は、その下縁部が本体２の下縁部から前方に離れて開くことができるようになっている。
【００４５】
（壁面固定部材）
壁面固定部材５は、壁面Ｗにネジ止めされ、被取付物である本体２を壁面Ｗに取り付けるための土台をなすものである。この壁面固定部材５は、平面状の両側部が上記本体２の一対の案内レール２６，２６に接触して挟み込まれる。この壁面固定部材５は、たとえばＡＢＳ等の高い強度を有する合成樹脂の成型品として構成されている。
【００４６】
図６に示すように、壁面固定部材５の上下端部それぞれの近傍には、壁面Ｗに面接触する取付部５１が形成されており、この取付部５１に、それぞれ固定ネジ孔５２，５２が設けられている。すなわち、この壁面固定部材５では、２つの固定ネジ孔５２，５２が上下に並んで設けられている。この固定ネジ孔５２は、この壁面固定部材５を壁面Ｗにネジ止めするための固定ネジＳ，Ｓが挿通されるものである。
【００４７】
壁面固定部材５の高さ方向中間部には、図１０に示すように、壁面Ｗから前方に離間した離間部が形成されており、この離間部５３に、複数の（ここでは５つの）ピン止め孔５４…が上下方向に並んで設けられている。複数の各ピン止め孔５４…は、離間部５３を貫通している。この複数のピン止め孔５４…は、任意の高さ位置のピン止め孔５４…に後述する挿通ピンを挿入することによって、壁面固定部材５に本体２を結合させて取り付けるためのものである。
【００４８】
壁面固定部材５の複数のピン止め孔５４…の近傍の前面側には、図６等に示すように、後方に若干凹んだ嵌合凹部５５…が、各ピン止め孔５４…の周囲を囲むように連なって設けられている。この嵌合凹部５５…は、上述した本体２側の挿通ピン孔２７と、壁面固定部材５側の複数のピン止め孔５４…のいずれかとの高さ位置が一致したときに、本体２側の嵌合凸部２８と嵌合するようになっている。これにより、本体２を壁面固定部材５に取り付ける際に、壁面固定部材５に対する本体２の相対的な高さ位置が、挿通ピン孔２７とピン止め孔５４…の高さ位置が一致する結合可能な状態にあることを、設置作業者に容易に感知させるとともに、この状態で本体２と壁面固定部材５との相対的な高さ位置関係を仮固定して、挿通ピン６を挿入する設置作業の作業性を高めることができるようになっている。
【００４９】
（挿通ピン）
挿通ピン６は、本体２の挿通ピン孔２７を貫通し、さらに壁面固定部材５のピン止め孔５４…のいずれかを貫通して、本体２の前面側と壁面固定部材５の後面側とに当接して押さえることで、本体（被取付物）２を壁面固定部材５に結合させるものである。この挿通ピン６は、たとえばＡＢＳ等の合成樹脂の成型品として構成されている。
【００５０】
この挿通ピン６は、図９（ａ）に示すように、拡開体６１と押込体６２との２つの部品から構成されている。拡開体６１は、大径の頭部６７とここから延びる複数本（例えば４本）の脚部６３…を有し、軸方向に孔部６４が形成されている。押込体６２は、大径のネジ部６６とここから延びるネジ部６２とを有している。そして、このように構成された拡開体６１の孔部６４に押込体６２のネジ部６２を押し込むことで、図９（ｂ）に示すように、拡開体６１の複数本の脚部６３…が互いに離間するように開くようになっている。一方、拡開体６１の複数本の脚部６３…の内側には押込体６２のネジ部６２と係合する図示しない１または複数の突起が形成されており、拡開体６１に押し込んだ押込体６２を所定方向に回転させることで、押込体６２を拡開体６１から抜き取ることができるようになっている。
【００５１】
（壁面への取付）
次に、以上のように構成された壁掛け型展示棚１を壁面Ｗに取り付ける設置作業について説明する。
【００５２】
この壁掛け型展示棚１の壁面Ｗへの設置作業では、まず、壁面Ｗに壁面固定部材５を取り付ける。この際、図７に示すように、一般的な家屋の構造では壁材Ｂの奥側に上下方向に延びる間柱Ｃが存在するので、これを探し出し、壁面固定部材５の上下の固定ネジ孔５２，５２からこの間柱Ｃに対して、固定ネジＳ，Ｓをねじ込み、壁面固定部材５を壁面Ｗに取り付ける。
【００５３】
このように間柱Ｃに壁面固定部材５をねじ込むことで壁面固定部材５の壁面Ｗへの高い取付強度を得ることができる。このとき、壁面固定部材５の固定ネジ孔５２，５２は上下に設けられているため、１本の間柱Ｃに対して、確実に２本の固定ネジＳ，Ｓをねじ込むことが可能である。また、固定ネジＳ，Ｓは上下に配されているので左右に配されている場合と比べ、下向きに作用する荷重に対して強度面で有利である。
【００５４】
次に、壁面Ｗに取り付けられた壁面固定部材５に対し、本体２を取り付ける。この作業では、作業者から直接には見えない不透明な本体２の背面側（後面側）に壁面固定部材５を取り付けることとなる。しかしながら、本体２の後面側には一対の案内レール２６，２６が本体２の上下端近傍まで延びているため、一対の案内レール２６，２６の上端近傍または下端近傍等の分かりやすい部位に壁面固定部材５を嵌め込むことで、壁面固定部材５と本体２との左右方向の位置合わせを容易に行うことができる。また同時に、壁面固定部材５に対して本体２が斜めに傾かないように水平合わせ（姿勢合わせ）も完了できる。
【００５５】
こうして壁面固定部材５が本体２の一対の案内レール２６，２６に挟み込まれれば、壁面固定部材５をこの一対の案内レール２６，２６に沿わせて本体２を上下にスライド動作させることで、本体２の挿通ピン孔２７と壁面固定部材５の複数のピン止め孔５４…の高さ位置が一致する位置を容易に見つけることができる。とくに、本体２の挿通ピン孔２７と壁面固定部材５の複数のピン止め孔５４…の高さ位置が一致すると、本体２の嵌合凸部２８が壁面固定部材５の嵌合凹部５５…に嵌り込むため、この両ピン孔２７，５４…が一致する状態を特に容易に知ることができる。
【００５６】
そして、図１０に示すように、壁面固定部材５に設けられた複数の（ここでは５つの）ピン止め孔５４…から、本体２の挿通ピン孔２７を一致させたときに、本体２が設置したい高さ位置になるピン止め孔５４…を決定し、このピン止め孔５４と本体２の挿通ピン孔２７とを一致させた状態で、ここに挿通ピン６を挿通する。本体２の挿通ピン孔２７および壁面固定部材５のピン止め孔５４を挿通された挿通ピン６は、拡開体６１の頭部６７が本体２の挿通ピン孔２７の前面側周囲に当接し、拡開体６１の拡開された拡開脚部６３…が壁面固定部材５のピン止め孔５４の後面側周囲に当接して、本体２と壁面固定部材５とが離間しないように押さえ込み、本体２を壁面固定部材５に結合させる。
【００５７】
このように、本体２を壁面固定部材５に結合させる際、本体２の前面側から挿通ピン６を挿入すればよいため、設置作業が容易である。また、このときにも、本体２の嵌合凸部２８が壁面固定部材５の嵌合凹部５５…に嵌り込むことで本体２と壁面固定部材５の相対的な高さ位置が仮固定されているため、挿通ピン６を挿通させる作業も容易に行うことができる。また、壁面固定部材５には複数のピン止め孔５４…が設けられているため、壁面固定部材５を壁面Ｗに取り付けた後であっても、壁掛け型展示棚１の取り付け高さ位置を調整することができる。また、本体２には挿通ピン孔２７は１つだけしか設けられておらず、ここに挿通ピン６が挿入されるため、見栄えがよい。
【００５８】
本体２が壁面固定部材５を介して壁面Ｗに取り付けられれば、展示物の大きさに応じて、１または複数枚の棚板３…を任意の高さの棚挿込溝２３…に挿し込んで取り付け、この棚板３…上に、展示物を載置する。
【００５９】
こうして棚板３上に展示物が載置されれば、本体２の上縁部の被係合部２４，２４にカバー４の係合部４４，４４を係合させ、本体２の下縁部のロック部材２５，２５を内側にスライドさせた状態でカバー４を本体２の開口２１に被せ、ロック部材２５，２５を外側にスライドさせてカバー４の被ロック突起４５，４５に係合させて、カバー４が開かないように固定する。以上で一連の設置作業は完了する。
【００６０】
このような壁掛け型展示棚１によると、展示物が載置される棚板３…は本体２の前面側の開口２１から前方に突出してカバー４に覆われるため、この棚板３…に展示される展示物はその正面姿だけでなく、左右側面の姿も容易に視認することができ、立体的な展示物の特性を生かした興趣性に富んだ展示ができる。
【００６１】
また、壁面固定部材５を本体２の一対の案内レール２６，２６で挟み込んだ構成としたため、壁面固定部材５に対して本体２ががたつくことを極力防止して安定した取付状態を得ることができる。
【００６２】
また、壁面固定部材５を本体２の一対の案内レール２６，２６で挟み込んだ構成としたため、棚板３…に左右アンバランスな重量配分で展示物を収容し展示した場合であっても、本体２が斜めに傾くことを防止することができる。
【００６３】
また、ロック部材２５，２５等によるロック構造によってカバー４を本体２から離間しないようにできるので、地震等によりカバー４が不意に開いて展示物が落下してしまうことも未然に防止することができる。
【００６４】
一方、本体２内の展示物を入れ替えたり、棚板３…の高さ位置を変更したりする場合には、ロック部材２５，２５を内側にスライドさせてロックを解除し、カバー４の下縁部を手前に持ち上げ、さらに、上部の係合部４４，４４および被係合部２４，２４の係合が外れるように、カバー４を全体として上方に持ち上げることで、カバー４を本体２から完全に取り外すことができる。これにより、本体２を壁面Ｗに取り付けた状態のままで、本体２の開口２１は全面的に開放され、展示物の入れ替え等の作業を、カバーを片手で支えたりすることなく、容易に行うことができる。
【００６５】
また、展示物の載置された位置や向き等を少しだけ修正したいという場合には、ロック部材２５，２５を内側にスライドさせてロックを解除し、カバー４上部の係合部４４，４４が本体２の被係合部２４，２４から外れない範囲で、カバー４の下縁部を手前に持ち上げて、カバー４の下側から本体２の開口部２１に手を入れることが可能である。これにより、カバー４を外してしまうことなく、少しの修正作業等であれば非常に簡易に行うことができる。
【００６６】
（その他の実施形態）
以上、本発明を一実施形態に即して説明したが、本発明は上記実施形態に限定されるものではなく、以下のように構成してもよい。
【００６７】
（１）上記実施形態では、本体２およびカバー４からなる全体的な外観を直方体形状としたが、これに限るものではなく、半円柱形状、半球形状、六角柱形状等々、種々の形態を採用することができる。たとえば全体的な外観を半円柱形状とするならば、上記実施形態と同様の直方体形状の本体に、半円板状の棚板を取り付け、これを覆うことのできる水平断面が半円状の柱体形状のカバーを用いればよい。あるいは半球形状とするならば、円盤状の本体に、各々大きさが異なる半円板状の棚板を取り付け、半球殻状のカバーを用いればよい。
【００６８】
（２）上記実施形態では、壁面取り付け構造として、壁面固定部材５を本体２の後面に設けた一対の案内レール２６，２６で挟み込んで挿通ピン６で固定する構造を挙げたが、本体２を壁面に取り付けることができる構造を備えていれば、壁面取り付け構造は上記に限定しない。
【００６９】
（３）上記実施形態では、３枚の棚板３…を備えた構成を例示したが、棚板の枚数は１枚、２枚あるいは４枚以上でも任意の数とすればよい。
【００７０】
（４）上記実施形態では、棚板３…を本体２の左右の側壁２２，２２にて支持したが、たとえば本体２の背板の内側面等で支持してもよい。また、棚板３…を本体２に比べて幅狭にして、左右に複数列の棚板が並ぶようにしてもよい。また本体２とほぼ同じ幅の棚板と幅狭の棚板とを混載してもよい。
【００７１】
（５）上記実施形態では、棚板３の高さ調整手段を複数段の棚挿込溝２３…によって構成したが、高さ調整手段は他の任意の構成を採用してもよい。また、高さ調整手段はなくてもよい。この場合、棚板３は本体２に取り外し不能に取り付けられていても、あるいは本体２と一体的に形成されていてもよい。
【００７２】
（６）上記実施形態では、本体２および棚板３の材質として、不透明な合成樹脂を挙げたが、全体があるいは部分的に透明な材料を用いても、合成樹脂以外の例えば木材や金属等を用いてもよい。
【００７３】
（７）上記実施形態では、カバー４の材質としてポリスチレンを挙げたが、本体２の開口２１を棚板３…ごと覆うように前方に膨らんだ形状に成形できる透明な合成樹脂であれば、ポリカーボネード、等、種々の樹脂を採用することができる。
【００７４】
（８）上記実施形態においては、カバー４の前面を左右に対して中央が若干前方に突出する凸面形状に構成したが、凸面形状としては、カバー４を横から見て上下に対して中央が若干前方に突出するようにしてもよい。あるいは、上下方向および左右方向のいずれについても中央部が前方に突出する凸面形状としてもよい。あるいはまた、カバー４の前面は平面形状としてもよい。
【００７５】
【発明の効果】
以上のように、本発明にかかる壁掛け型展示棚によると、展示物が載置される棚板は本体の前面側の開口から前方に突出し、前方に膨らむ透明樹脂よりなるカバーによって覆われるため、この棚板に展示される展示物は透明なカバーを通してその正面姿だけでなく、左右側面の姿も容易に視認することができ、立体的な展示物の特性を生かした興趣性に富んだ展示ができる。また、カバーは透明樹脂からなるため、不透明な桟や枠を用いることなく、前方に膨らんだ形状を容易かつ安価に製造することができる。
【図面の簡単な説明】
【図１】この発明にかかる壁面取付構造を適用した壁掛け型展示棚の正面側から見た斜視図である。
【図２】同壁掛け型展示棚を背面側から見た斜視図である。
【図３】同壁掛け型展示棚の側面図である。
【図４】同壁掛け型展示棚を上から見た平面図である。
【図５】同壁掛け型展示棚のカバーを開けた状態の斜視図である。
【図６】壁面固定部材の斜視図である。
【図７】壁面固定部材を壁面に取り付けた状態の斜視図である。
【図８】壁面固定部材が本体に取り付けられた状態を背面側から見た斜視図である。
【図９】挿通ピンの動作説明図である。
【図１０】壁掛け型展示棚が壁面に設置された状態の側方断面図である。
【符号の説明】
１　壁掛け型展示棚
２　本体
２１　開口
２２　側壁
２３　棚挿込溝（高さ調整手段）
２４　被係合部
２５　ロック部材
２６　案内レール
２７　挿通ピン孔
３　棚板
４　カバー
４２　前面
４４　係合部
４５　被ロック突起
５　壁面固定部材
５４　ピン止め孔
６　挿通ピン
Ｗ　壁面
Ｃ　間柱
Ｓ　固定ネジ
【図１】
2004136017.tif 000003
【図２】
2004136017.tif 000004
【図３】
2004136017.tif 000005
【図４】
2004136017.tif 000006
【図５】
2004136017.tif 000007
【図６】
2004136017.tif 000008
【図７】
2004136017.tif 000009
【図８】
2004136017.tif 000010
【図９】
2004136017.tif 000011
【図１０】
2004136017.tif 000012